(57)【要約】  本発明は、基地局、信号処理を行う方法及びコンピュータ記憶媒体を開示し、大気ダクト検出パラメータと物理層通常パラメータを測定することと、取得された大気ダクト検出パラメータを処理し、予め設定された大気ダクト干渉検出モデルのパラメータ閾値に基づいて大気ダクト干渉の有無を判定することと、取得された大気ダクト干渉の有無の結果に基づいて、対応する復調策略を確定し、上り伝送信号を復調することと、取得された大気ダクト干渉の有無の結果に基づいて対応するスケジューリング策略を確定し、復調結果及び物理層通常パラメータの測定の結果に基づいてスケジューリングを行うこととを含む。【選択図】図１
2019506106.tif 000002
【特許請求の範囲】
【請求項１】
基地局であって、
測定ユニット(１００)、干渉検出ユニット(１０１)、復調ユニット(１０２)、及びスケジューリングユニット(１０３)を含み、
測定ユニット(１００)は、大気ダクト検出パラメータを測定し第１測定結果を干渉検出ユニット(１０１)に出力し、物理層通常パラメータを測定し第２測定結果をスケジューリングユニット(１０３)に出力するように構成され、
干渉検出ユニット(１０１)は、測定ユニット(１００)からの第１測定結果を処理し、予め設定された大気ダクト干渉検出モデルのパラメータ閾値に基づいて大気ダクト干渉の有無を判定し、大気ダクト干渉の有無の結果を復調ユニット(１０２)及びスケジューリングユニット(１０３)に出力するように構成され、
復調ユニット(１０２)は、取得された大気ダクト干渉の有無の結果に基づいて対応する復調策略を確定し、上り伝送信号を復調し、復調結果をスケジューリングユニット(１０３)に出力するように構成され、
スケジューリングユニット(１０３)は、取得された大気ダクト干渉の有無の結果に基づいて対応するスケジューリング策略を確定し、復調結果及び第２測定結果に基づいてスケジューリングを行うように構成される、前記基地局。
【請求項２】
前記干渉検出ユニット(１０１)は、
前記大気ダクト干渉の有無の結果は大気ダクト干渉が存在することであり、現在の検出が初回検出であり又は直前の検出結果は大気ダクト干渉が存在しないことである場合、検出結果を大気ダクト干渉が存在することとして設定し、大気ダクト干渉の有無の結果を前記復調ユニット(１０２)及び前記スケジューリングユニット(１０３)に継続して出力し、
前記大気ダクト干渉の有無の結果は大気ダクト干渉が存在しないことであり、現在の検出が初回検出であり又は直前の検出結果は大気ダクト干渉が存在しないことである場合、検出結果を大気ダクト干渉が存在しないこととして設定し、大気ダクト干渉の有無の結果を前記復調ユニット(１０２)及び前記スケジューリングユニット(１０３)に継続して出力し、直前の検出結果は大気ダクト干渉が存在することである場合、検出結果を大気ダクト干渉が存在しないこととして更新し、大気ダクト干渉の有無の結果を前記復調ユニット(１０２)及び前記スケジューリングユニット(１０３)に出力するように構成される、
請求項１に記載の基地局。
【請求項３】
前記復調ユニット(１０２)には異なる復調策略と大気ダクト干渉の有無との対応関係を予め設定し、
前記復調ユニット(１０２)は、取得された前記大気ダクト干渉の有無の結果は大気ダクト干渉が存在することを示す場合、大気ダクト干渉が存在することに対応する干渉防止復調策略を使用して復調し、取得された前記大気ダクト干渉の有無の結果は大気ダクト干渉が存在しないことを示す場合、大気ダクト干渉が存在しないことに対応する無干渉復調策略を使用して復調するように構成される、
請求項１又は２に記載の基地局。
【請求項４】
前記スケジューリングユニット(１０３)には異なるスケジューリング策略と大気ダクト干渉の有無との対応関係を予め設定し、
前記スケジューリングユニット(１０３)は、取得された前記大気ダクト干渉の有無の結果は大気ダクト干渉が存在することを示す場合、大気ダクト干渉が存在することに対応する干渉防止スケジューリング策略を使用して前記スケジューリング処理を行い、取得された前記大気ダクト干渉の有無の結果は大気ダクト干渉が存在しないことを示す場合、大気ダクト干渉が存在しないことに対応する無干渉スケジューリング策略を使用して前記スケジューリング処理を行うように構成される、
請求項１又は２に記載の基地局。
【請求項５】
測定報告適応ユニット(１０４)をさらに含み、
前記測定報告適応ユニット(１０４)は、前記干渉検出ユニット(１０１)から受信された大気ダクト干渉の有無の結果は大気ダクト干渉が存在することを示す場合、前記測定ユニット(１００)からの第２測定結果に適応処理を行ってから前記スケジューリングユニット(１０３)に出力し、前記干渉検出ユニット(１０１)から受信された大気ダクト干渉の有無の結果は大気ダクト干渉が存在しないことを示す場合、前記測定ユニット(１００)からの第２測定結果を前記スケジューリングユニット(１０３)にトランスペアレント伝送するように構成される、
請求項１に記載の基地局。
【請求項６】
構成パラメータ適応ユニット(１０６)をさらに含み、
前記構成パラメータ適応ユニット(１０６)は、前記干渉検出ユニット(１０１)から受信された大気ダクト干渉の有無の結果は大気ダクト干渉が存在することを示す場合、大気ダクト干渉が存在することに対応する干渉防止構成パラメータセットを前記スケジューリングユニット(１０３)に出力し、前記干渉検出ユニット(１０１)から受信された大気ダクト干渉の有無の結果は大気ダクト干渉が存在しないことを示す場合、大気ダクト干渉が存在しないことに対応する無干渉構成パラメータセットを前記スケジューリングユニット(１０３)に出力するように構成される、
請求項１又は５に記載の基地局。
【請求項７】
干渉レベル確定ユニットをさらに含み、
前記干渉レベル確定ユニットは、前記測定ユニットからの第１測定結果と前記干渉検出ユニットからの大気ダクト干渉の有無の結果を受信し、予め設定された異なる第１測定結果と各大気ダクト干渉レベルとの対応関係に基づいて、大気ダクト干渉の干渉レベルを確定し、確定された干渉レベルを復調モジュール(１０２)に出力し、
前記復調ユニット(１０２)には異なる復調策略と異なる干渉レベルとの対応関係を予め設定し、前記復調ユニット(１０２)は、干渉レベル確定ユニット(１０５)からの干渉レベルに基づいて、対応する干渉防止復調策略を確定するように構成される、
請求項１又は５に記載の基地局。
【請求項８】
構成パラメータ適応ユニット(１０６)をさらに含み、
前記干渉レベル確定ユニット(１０５)は、前記干渉レベルを構成パラメータ適応ユニット(１０６)に出力するように構成され、
構成パラメータ適応ユニット(１０６)は、受信された干渉レベルに基づいて、予め設定された異なる干渉レベルに対応する異なる構成パラメータセットを前記スケジューリングユニット(１０３)に出力するように構成される、
請求項７に記載の基地局。
【請求項９】
基地局が信号処理を行う方法であって、
大気ダクト検出パラメータと物理層通常パラメータを測定することと、
取得された大気ダクト検出パラメータを処理し、予め設定された大気ダクト干渉検出モデルのパラメータ閾値に基づいて大気ダクト干渉の有無を判定することと、
取得された大気ダクト干渉の有無の結果に基づいて対応する復調策略を確定し、上り伝送信号を復調することと、
取得された大気ダクト干渉の有無の結果に基づいて対応するスケジューリング策略を確定し、復調結果及び物理層通常パラメータの測定の結果に基づいてスケジューリングを行うこととを含む、前記方法。
【請求項１０】
前記大気ダクト検出パラメータに対する測定は、定時又はリアルタイムの測定を使用する、
請求項９に記載の方法。
【請求項１１】
大気ダクト干渉が存在すると判定する場合、当該方法は、さらに、
現在の検出が初回検出であり又は直前の検出結果は大気ダクト干渉が存在しないことである場合、検出結果を大気ダクト干渉が存在することとして設定し、直前の検出結果は大気ダクト干渉が存在することである場合、このプロセスを終了することを含み、
大気ダクト干渉が存在しないと判定する場合、当該方法は、さらに、
現在の検出が初回検出であり又は直前の検出結果は大気ダクト干渉が存在しないことである場合、検出結果を大気ダクト干渉が存在しないこととして設定し、直前の検出結果は大気ダクト干渉が存在することである場合、検出結果を大気ダクト干渉が存在しないこととして更新することを含む、
請求項９に記載の方法。
【請求項１２】
当該方法は、異なる復調策略と大気ダクト干渉の有無との対応関係を設定することをさらに含み、
前記対応する復調策略を確定し復調することは、前記取得された大気ダクト干渉の有無の結果は大気ダクト干渉が存在することを示す場合、大気ダクト干渉が存在することに対応する干渉防止復調策略を基づいて復調し、前記取得された大気ダクト干渉の有無の結果は大気ダクト干渉が存在しないことを示す場合、大気ダクト干渉が存在しないことに対応する無干渉復調策略に基づいて復調することを含む、
請求項９に記載の方法。
【請求項１３】
当該方法は、異なるスケジューリング策略と大気ダクト干渉の有無との対応関係を設定することをさらに含み、
前記対応するスケジューリング策略を確定し復調結果に基づいてスケジューリングを行うことは、前記取得された大気ダクト干渉の有無の結果は大気ダクト干渉が存在することを示す場合、大気ダクト干渉が存在することに対応する干渉防止スケジューリング策略を使用してスケジューリング処理を行い、前記取得された大気ダクト干渉の有無の結果は大気ダクト干渉が存在しないことを示す場合、大気ダクト干渉が存在しないことに対応する無干渉スケジューリング策略を使用してスケジューリング処理を行うことを含む、
請求項９に記載の方法。
【請求項１４】
前記干渉防止スケジューリング策略は、高速電力制御、高速適応変調および符号化（ＡＭＣ）、アクセスやハンドオーバ場合のインテリジェント処理の使用、異なるサービスタイプに対する適応リソース割り当てメカニズム、又は下り適応の伝送メカニズムの使用を含む、
請求項１３に記載の方法。
【請求項１５】
前記対応するスケジューリング策略を確定し、前記復調結果と物理層通常パラメータの測定の結果に基づいてスケジューリングを行う前に、当該方法は、さらに、
前記大気ダクト干渉の有無の結果は大気ダクト干渉が存在することを示す場合、取得された前記物理層通常パラメータに対して適応処理を行うことを含む、
請求項９に記載の方法。
【請求項１６】
前記大気ダクト干渉の有無を判定した後、前記対応するスケジューリング策略を確定し復調結果に基づいてスケジューリングを行う前に、当該方法は、さらに、
前記大気ダクト干渉の有無の結果は大気ダクト干渉が存在することを示す場合、大気ダクト干渉が存在することに対応する干渉防止構成パラメータセットを取得し、前記大気ダクト干渉の有無の結果は大気ダクト干渉が存在しないことを示す場合、大気ダクト干渉が存在しないことに対応する無干渉構成パラメータセットを取得することを含み、
前記対応するスケジューリング策略を確定し前記復調結果及び物理層通常パラメータの測定の結果に基づいてスケジューリングを行うことは、取得された前記大気ダクト干渉の有無の結果に基づいて、対応するスケジューリング策略を確定し、取得された前記干渉防止構成パラメータセット又は無干渉構成パラメータセットに基づいて、復調後の結果に対しスケジューリングを行うことを含む、
請求項９又は１５に記載の方法。
【請求項１７】
前記大気ダクト干渉の有無を判定した後、前記対応するスケジューリング策略を確定し復調結果に基づいてスケジューリングを行う前に、当該方法は、さらに、
取得された前記大気ダクト検出パラメータ、前記大気ダクト干渉の有無の結果、および予め設定された異なる前記大気ダクト検出パラメータと各大気ダクト干渉レベルとの対応関係に基づいて、大気ダクト干渉の干渉レベルを確定することを含み、
前記対応する復調策略を確定し復調することは、予め設定された異なる復調策略と異なる干渉レベルとの対応関係、および取得された前記干渉レベルに基づいて、対応する干渉防止復調策略を確定し復調することを含む、
請求項９に記載の方法。
【請求項１８】
干渉防止構成パラメータセット又は無干渉構成パラメータセットを取得する場合、取得された干渉レベルに基づいて、予め設定された異なる干渉レベルに対応する異なる構成パラメータセットを取得することを含む、
請求項１７に記載の方法。
【請求項１９】
前記基地局が物理上りリンク制御チャネル（ＰＵＣＣＨ）クローズドループ電力制御方式にある時、大気ダクト干渉が存在すると判定する場合、前記スケジューリング策略は、ＰＵＣＣＨクローズドループ電力制御の高速処理を起動することである、
請求項９に記載の方法。
【請求項２０】
前記ＰＵＣＣＨクローズドループ電力制御の高速処理を起動することは、速く上昇及び遅く下降すること、又は目標受信電力を上げることを含む、
請求項１９に記載の方法。
【請求項２１】
前記基地局がサービスタイプに基づいて処理する時に、大気ダクト干渉が存在すると判定する場合、前記スケジューリング策略は、離散サービスに対し、電力制限範囲内においてリソースの割り当てを行い、連続のサービスに対し、電力制限範囲に限定されなく、制限範囲外でも使用することである、
請求項９に記載の方法。
【請求項２２】
前記基地局が物理上りリンク共有チャネル（ＰＵＳＣＨ）クローズドループ電力制御処理方式にある時、大気ダクト干渉が存在すると判定する場合、前記スケジューリング策略は、ＰＵＳＣＨクローズドループ電力制御の高速処理を起動することである、
請求項９に記載の方法。
【請求項２３】
前記基地局が上り適応変調および符号化（ＡＭＣ）処理方式にある時、大気ダクト干渉が存在すると判定する場合、前記スケジューリング策略は、適応の上りＡＭＣ処理を起動することである、
請求項９に記載の方法。
【請求項２４】
前記基地局がアクセス又はハンドオーバにある時、大気ダクト干渉が存在すると判定する場合、前記スケジューリング策略は、アクセス/ハンドオーバ段階で、干渉が上昇する場合に電力を迅速に上げ、電力が限定された場合にＭＣＳレベルを下げること、及び／又は、アクセス/ハンドオーバ段階で、干渉が上昇する場合に、干渉レベルに基づいて対応する構成パラメータセットを選択することである、
請求項９に記載の方法。
【請求項２５】
前記基地局が伝送方式にある時、大気ダクト干渉が存在すると判定する場合、前記スケジューリング策略は、ＴＭ８を使用して伝送する場合、上り測定との関連性が強くないＴＭ３技術を使用することである、
請求項９に記載の方法。
【請求項２６】
コンピュータ記憶媒体であって、
１セットの命令が記憶され、前記命令を実行する場合、少なくとも１つのプロセッサは、
取得された大気ダクト検出パラメータを処理し、予め設定された大気ダクト干渉検出モデルのパラメータ閾値に基づいて大気ダクト干渉の有無を判定し、取得された大気ダクト干渉の有無の結果に基づいて、対応する復調策略を確定し、上り伝送信号を復調し、取得された大気ダクト干渉の有無の結果に基づいて対応するスケジューリング策略を確定し、復調結果及び物理層通常パラメータの測定の結果に基づいてスケジューリングを行うように構成される、前記コンピュータ記憶媒体。
【発明の詳細な説明】
【技術分野】
【０００１】
本発明は、干渉処理技術に関し、特に、基地局、信号処理を行う方法及びコンピュータ記憶媒体に関する。
【背景技術】
【０００２】
大気ダクトとは、電磁波を折り返せて曲折に伝達される大気空間である。大気空間は、地表に近接するものでもよく、上壁が大気層別であり、下壁が地球表面であり、空中に浮いているものでもよく、上、下壁のいずれも大気層別である。大気ダクトの発生は、気象条件によって決定され、通常、夏の雨上がりの晴れた安定な天気において、大気層に大気ダクトを形成しやすい。沿海地域において、陸地上の乾燥の熱空気団が海に移動した後、大気ダクトも形成しやすい。大気ダクトは、通常に、低緯度及び中緯度地域に発生することは多く、特に、沿海地域及び海上に発生することがより多い。
【０００３】
大気ダクトにおいて、基地局システムの上りチャネルに大きい干渉を与える。長期的な進化(ＴＤＤ−ＬＴＥ)基地局システムを例とし、数百キロ、おそらく数千キロメートル以外の他の基地局の下りタイムスロットが特定の基地局の上りタイムスロットを干渉して、当該基地局のアクセス成功率、ハンドオーバ成功率、ドロップコールレートが大きく低下され、ユーザー体験及びキャリアの運営やメンテナンスに影響をもたらすことがある。
【０００４】
そして、大気ダクト干渉において、基地局に有効な対処手段を有する必要がある。
【０００５】
現在、関連する解決策は、特定の方式によって干渉(大気ダクト干渉を含む)が存在すると検出した後、工夫をしてソース基地局を見つけてから、ソース基地局に対し干渉限定を行う。しかしながら、この解決策は、検出方式が正確でないこと、干渉特に大気干渉を有効に識別することができないこと、ソース基地局を有効に見つけることができないこと、ソース基地局を見つけてから干渉を有効に防止することができなく、例えば、干渉された後、ソース基地局のアクセスに影響を与えること、ソース基地局を見つけても、ソース基地局が当該キャリアに属する基地局でない場合、干渉を回避することができないこと等の問題がある。そして、多くの場面において、ソース基地局を見つけてソース基地局に対し干渉限定を行うという従来の解決策は、回避の方式であるが、大気ダクト干渉による基地局への影響を有効に対処することができない。
【発明の概要】
【発明が解決しようとする課題】
【０００６】
上記の技術的課題を解決するため、本発明の実施例は、大気ダクト干渉による基地局への影響を有効に対処することができる基地局及びその信号処理を行う方法を提供する。
【課題を解決するための手段】
【０００７】
本発明の目的を実現するために、本発明実施例は、基地局を提供する。当該基地局は、測定ユニット、干渉検出ユニット、復調ユニット、及びスケジューリングユニットを含み、
測定ユニットは、大気ダクト検出パラメータを測定し、第１測定結果を干渉検出ユニットに出力し、物理層通常パラメータを測定し、第２測定結果をスケジューリングユニットに出力するように構成され、
干渉検出ユニットは、測定ユニットからの第１測定結果を処理し、予め設定された大気ダクト干渉検出モデルのパラメータ閾値に基づいて大気ダクト干渉の有無を判定し、大気ダクト干渉の有無の結果を復調ユニット及びスケジューリングユニットに出力するように構成され、
復調ユニットは、取得された大気ダクト干渉の有無の結果に基づいて、対応する復調策略を確定し、上り伝送信号を復調し復調結果をスケジューリングユニットに出力するように構成され、
スケジューリングユニットは、取得された大気ダクト干渉の有無の結果に基づいて対応するスケジューリング策略を確定し、復調結果及び第２測定結果に基づいてスケジューリングを行うように構成される。
【０００８】
選択可能で、前記干渉検出ユニットは、さらに、前記大気ダクト干渉の有無の結果は大気ダクト干渉が存在することであり、現在の検出が初回検出であり又は直前の検出結果は大気ダクト干渉が存在しないことである場合、検出結果を大気ダクト干渉が存在することとして設定し、大気ダクト干渉の有無の結果を前記復調ユニット及び前記スケジューリングユニットに継続して出力し、
前記大気ダクト干渉の有無の結果は大気ダクト干渉が存在しないことであり、現在の検出が初回検出であり又は直前の検出結果は大気ダクト干渉が存在しないことである場合、検出結果を大気ダクト干渉が存在しないこととして設定し、大気ダクト干渉の有無の結果を前記復調ユニット及び前記スケジューリングユニットに継続して出力し、直前の検出結果は大気ダクト干渉が存在することである場合、検出結果を大気ダクト干渉が存在しないこととして更新し、大気ダクト干渉の有無の結果を前記復調ユニット及び前記スケジューリングユニットに継続して出力するように構成される。
【０００９】
選択可能で、前記復調ユニットには異なる復調策略と大気ダクト干渉の有無との対応関係を予め設定し、前記復調ユニットは、具体的に、
取得された前記大気ダクト干渉の有無の結果は大気ダクト干渉が存在することを示す場合、大気ダクト干渉が存在することに対応する干渉防止復調策略を使用して復調し、取得された前記大気ダクト干渉の有無の結果は大気ダクト干渉が存在しないことを示す場合、大気ダクト干渉が存在しないことに対応する無干渉復調策略を使用して復調するように構成される。
【００１０】
選択可能で、前記スケジューリングユニットには異なるスケジューリング策略と大気ダクト干渉の有無との対応関係を予め設定し、前記スケジューリングユニットは、具体的に、
取得された前記大気ダクト干渉の有無の結果は大気ダクト干渉が存在することを示す場合、大気ダクト干渉が存在することに対応する干渉防止スケジューリング策略を使用して前記スケジューリング処理を行い、取得された前記大気ダクト干渉の有無の結果は大気ダクト干渉が存在しないことを示す場合、大気ダクト干渉が存在しないことに対応する無干渉スケジューリング策略を使用して前記スケジューリング処理を行うように構成される。
【００１１】
選択可能で、測定報告適応ユニットをさらに含み、測定報告適応ユニットは、
前記干渉検出ユニットから受信された大気ダクト干渉の有無の結果は大気ダクト干渉が存在することを示す場合、前記測定ユニットからの第２測定結果に対し適応処理を行ってから前記スケジューリングユニットに出力し、前記干渉検出ユニットから受信された大気ダクト干渉の有無の結果は大気ダクト干渉が存在しないことを示す場合、前記測定ユニットからの第２測定結果を前記スケジューリングユニットにトランスペアレント伝送するように構成される。
【００１２】
選択可能で、構成パラメータ適応ユニットをさらに含み、構成パラメータ適応ユニットは、
前記干渉検出ユニットから受信された大気ダクト干渉の有無の結果は大気ダクト干渉が存在することを示す場合、大気ダクト干渉が存在することに対応する干渉防止構成パラメータセットを前記スケジューリングユニットに出力し、前記干渉検出ユニットから受信された大気ダクト干渉の有無の結果は大気ダクト干渉が存在しないことを示す場合、大気ダクト干渉が存在しないことに対応する無干渉構成パラメータセットを前記スケジューリングユニットに出力するように構成される。
【００１３】
選択可能で、干渉レベル確定ユニットをさらに含み、干渉レベル確定ユニットは、
前記測定ユニットからの第１測定結果及び前記干渉検出ユニットからの大気ダクト干渉の有無の結果を受信し、予め設定された異なる第１測定結果と各大気ダクト干渉レベルとの対応関係に基づいて、大気ダクト干渉の干渉レベルを確定し、確定された干渉レベルを復調モジュールに出力するように構成され、それに対応し、
前記復調ユニットには異なる復調策略と異なる干渉レベルとの対応関係を予め設定し、前記復調ユニットは、さらに、干渉レベル確定ユニットからの干渉レベルに基づいて、対応する干渉防止復調策略を確定するように構成される。
【００１４】
選択可能で、当該基地局は、さらに、構成パラメータ適応ユニットを含み、
前記干渉レベル確定ユニットは、さらに、前記干渉レベルを構成パラメータ適応ユニットに出力するように構成され、
構成パラメータ適応ユニットは、具体的に、受信された干渉レベルに基づいて、予め設定された異なる干渉レベルに対応する異なる構成パラメータセットを前記スケジューリングユニットに出力するように構成される。
【００１５】
本発明実施例は、また、基地局が信号処理を行う方法を提供する。当該方法は、
大気ダクト検出パラメータと物理層通常パラメータを測定することと、
取得された大気ダクト検出パラメータを処理し、予め設定された大気ダクト干渉検出モデルのパラメータ閾値に基づいて大気ダクト干渉の有無を判定することと、
取得された大気ダクト干渉の有無の結果に基づいて、対応する復調策略を確定し上り伝送信号を復調することと、
取得された大気ダクト干渉の有無の結果に基づいて、対応するスケジューリング策略を確定し、復調結果及び物理層通常パラメータの測定の結果に基づいてスケジューリングを行うこととを含む。
【００１６】
選択可能で、前記大気ダクト検出パラメータに対する測定は、定時又はリアルタイムの測定を使用する。
【００１７】
選択可能で、大気ダクト干渉が存在すると判定する場合、当該方法は、さらに、
現在の検出が初回検出であり又は直前の検出結果は大気ダクト干渉が存在しないことである場合、検出結果を大気ダクト干渉が存在することとして設定し、直前の検出結果は大気ダクト干渉が存在することである場合、このプロセスを終了することを含む。
【００１８】
大気ダクト干渉が存在しないと判定する場合、当該方法は、さらに、
現在の検出が初回検出であり又は直前の検出結果は大気ダクト干渉が存在しないことである場合、検出結果を大気ダクト干渉が存在しないこととして設定し、直前の検出結果は大気ダクト干渉が存在することである場合、検出結果を大気ダクト干渉が存在しないこととして更新することを含む。
【００１９】
選択可能で、当該方法は、異なる復調策略と大気ダクト干渉の有無との対応関係を予め設定することをさらに含み、
前記対応する復調策略を確定し復調することは、
前記取得された大気ダクト干渉の有無の結果は大気ダクト干渉が存在することを示す場合、大気ダクト干渉が存在することに対応する干渉防止復調策略に基づいて復調し、前記取得された大気ダクト干渉の有無の結果は大気ダクト干渉が存在しないことを示す場合、大気ダクト干渉が存在しないことに対応する無干渉復調策略に基づいて復調することを含む。
【００２０】
選択可能で、当該方法は、異なるスケジューリング策略と大気ダクト干渉の有無との対応関係を予め設定することを含み、
前記対応するスケジューリング策略を確定し、復調結果に基づいてスケジューリングを行うことは、
前記取得された大気ダクト干渉の有無の結果は大気ダクト干渉が存在することを示す場合、大気ダクト干渉が存在することに対応する干渉防止スケジューリング策略を使用してスケジューリング処理を行い、前記取得された大気ダクト干渉の有無の結果は大気ダクト干渉が存在しないことを示す場合、大気ダクト干渉が存在しないことに対応する無干渉スケジューリング策略を使用してスケジューリング処理を行うことを含む。
【００２１】
選択可能で、前記干渉防止スケジューリング策略は、高速電力制御、高速適応変調および符号化（ＡＭＣ）、アクセスやハンドオーバ場合のインテリジェント処理の使用、異なるサービスタイプに対する適応リソース割り当てメカニズム、又は下り適応の伝送メカニズムの使用を含む。
【００２２】
選択可能で、前記対応するスケジューリング策略を確定し、前記復調結果及び物理層通常パラメータの測定の結果に基づいてスケジューリングを行う前に、当該方法は、さらに、
前記大気ダクト干渉の有無の結果は大気ダクト干渉が存在することを示す場合、取得された前記物理層通常パラメータに対し適応処理を行うことを含む。
【００２３】
選択可能で、前記大気ダクト干渉の有無を判定した後、前記対応するスケジューリング策略を確定し、復調結果に基づいてスケジューリングを行う前に、当該方法は、さらに、
前記大気ダクト干渉の有無の結果は大気ダクト干渉が存在することを示す場合、大気ダクト干渉が存在することに対応する干渉防止構成パラメータセットを取得し、前記大気ダクト干渉の有無の結果は大気ダクト干渉が存在しないことを示す場合、大気ダクト干渉が存在しないことに対応する無干渉構成パラメータセットを取得することを含み、それに対応し、
前記対応するスケジューリング策略を確定し前記復調結果及び物理層通常パラメータの測定の結果に基づいてスケジューリングを行うことは、取得された前記大気ダクト干渉の有無の結果に基づいて、対応するスケジューリング策略を確定し、取得された前記干渉防止構成パラメータセット又は無干渉構成パラメータセットに基づいて、復調後の結果に対しスケジューリングを行うことを含む。
【００２４】
選択可能で、前記大気ダクト干渉の有無を判定した後、前記対応するスケジューリング策略を確定し、復調結果に基づいてスケジューリングを行う前に、当該方法は、さらに、
取得された前記大気ダクト検出パラメータと前記大気ダクト干渉の有無の結果、予め設定された異なる前記大気ダクト検出パラメータと各大気ダクト干渉レベルとの対応関係に基づいて、大気ダクト干渉の干渉レベルを確定することを含み、それに対応し、
前記対応する復調策略を確定し復調することは、
予め設定された異なる復調策略と異なる干渉レベルとの対応関係、および取得された前記干渉レベルに基づいて、対応する干渉防止復調策略を確定し復調することを含む。
【００２５】
選択可能で、干渉防止構成パラメータセット又は無干渉構成パラメータセットを取得する場合、さらに、取得された干渉レベルに基づいて、予め設定された異なる干渉レベルに対応する異なる構成パラメータセットを取得することを含む。
【００２６】
選択可能で、前記基地局が物理上りリンク制御チャネル（ＰＵＣＣＨ）クローズドループ電力制御方式にある時、大気ダクト干渉が存在すると判定する場合、前記スケジューリング策略は、ＰＵＣＣＨクローズドループ電力制御の高速処理を起動することである。
【００２７】
選択可能で、前記ＰＵＣＣＨクローズドループ電力制御の高速処理を起動することは、速く上昇及び遅く下降すること、又は目標受信電力を上げることを含む。
【００２８】
選択可能で、前記基地局がサービスタイプに基づいて処理する時に、大気ダクト干渉が存在すると判定する場合、前記スケジューリング策略は、
離散サービスに対し、電力制限範囲内においてリソースの割り当てを行い、連続のサービスに対し、電力限定範囲に限定しなく、範囲外でも使用することである。
【００２９】
選択可能で、前記基地局が物理上りリンク共有チャネル（ＰＵＳＣＨ）クローズドループ電力制御処理方式にある時、大気ダクト干渉が存在すると判定する場合、前記スケジューリング策略は、ＰＵＳＣＨクローズドループ電力制御の高速処理を起動することである。
【００３０】
選択可能で、前記基地局が上り適応変調および符号化（ＡＭＣ）処理方式にある時、大気ダクト干渉が存在すると判定する場合、前記スケジューリング策略は、適応の上りＡＭＣ処理を起動することである。
【００３１】
選択可能で、前記基地局がアクセス又はハンドオーバにある時、大気ダクト干渉が存在すると判定する場合、前記スケジューリング策略は、
アクセス/ハンドオーバ段階で、干渉が上昇する場合に電力を迅速に上げ、電力が限定された場合にＭＣＳレベルを下げること、及び／又はアクセス/ハンドオーバ段階で、干渉が上昇する場合に干渉レベルに基づいて対応する構成パラメータセットを選択することである。
【００３２】
選択可能で、前記基地局が伝送方式にある時、大気ダクト干渉が存在すると判定する場合、前記スケジューリング策略は、ＴＭ８を使用して伝送する場合、上り測定との関連性が強くないＴＭ３の技術を使用することである。
【００３３】
本発明実施例は、また、コンピュータ記憶媒体を提供し、当該記憶媒体には１セットの命令が記憶され、前記命令を実行する場合、少なくとも１つプロセッサは、
取得された大気ダクト検出パラメータを処理し、予め設定された大気ダクト干渉検出モデルのパラメータ閾値に基づいて大気ダクト干渉の有無を判定し、
取得された大気ダクト干渉の有無の結果に基づいて、対応する復調策略を確定し上り伝送信号を復調し、
取得された大気ダクト干渉の有無の結果に基づいて、対応するスケジューリング策略を確定し、復調結果及び物理層通常パラメータの測定の結果に基づいてスケジューリングを行うように構成される。
【００３４】
従来の技術と比べ、本願に係る技術案は、大気ダクト検出パラメータと物理層通常パラメータを測定し、取得された大気ダクト検出パラメータを処理し、予め設定された大気ダクト干渉検出モデルのパラメータ閾値に基づいて大気ダクト干渉の有無を判定し、取得された大気ダクト干渉の有無の結果に基づいて、対応する復調策略を確定し、取得された物理層通常パラメータに対し上り伝送信号を復調し、取得された大気ダクト干渉の有無の結果に基づいて対応するスケジューリング策略を確定し、復調結果及び物理層通常パラメータの測定の結果に基づいてスケジューリングを行うことを含む。本発明に係る技術案は、大気ダクト干渉による基地局への影響を有効に対処し、従来の技術で大気ダクト等の高干渉において、基地局、特にＴＤＤ−ＬＴＥにおける基地局上りシステム性能の低下、無線接続率、コールドロップ率、ハンドオーバ成功率の悪化、及びユーザー体験が悪くなるという問題をよく解決することができる。
【００３５】
さらに、本発明は、構成パラメータ適応ユニットは、干渉状況に応じて、スケジューリングユニットが使用する構成パラメータへの適応構成を実現し、大気ダクト干渉に対応する処理をよく行うことができる。
【００３６】
さらに、本発明は、大気ダクト干渉をレベルで分け、異なる干渉レベルに対する大気ダクト干渉の異なる復調処理をよく細分化して、大気ダクト干渉をよく回避することができる。
【００３７】
本発明の他の特徴及び利点は、以下に記載され、さらに、これは明細書の一部から明らかになり、又は、本発明を実施して明確になる。本発明の目的及び他の利点は、明細書、請求項及び図面に示す構成によって実現や取得することができる。
【図面の簡単な説明】
【００３８】
【図１】本発明に係る基地局の構成図である。
【図２】本発明に係る基地局の信号処理を行う方法のフローチャートである。
【図３】本発明に係る基地局の信号処理を行う実施例のフローチャートである。
【発明を実施するための形態】
【００３９】
ここの図面は、本発明をよく理解するためのものであり、本願の一部を構成し、本発明の例示な実施例及びその説明は、本発明を解釈するためのものであり、本発明を限定するものではない。
【００４０】
本発明の目的、技術案及び利点を明確するために、以下、図面を参照し本発明の実施例を詳しく説明します。なお、競合しない場合、本願の実施例及び実施例の特徴は、任意に組み合わせることができる。
【００４１】
図１は本発明に係る基地局の構成図であり、図１に示すように、少なくとも測定ユニット１００、干渉検出ユニット１０１、復調ユニット１０２、及びスケジューリングユニット１０３を含み、ここで、
測定ユニット１００は、大気ダクト検出パラメータを測定し、第１測定結果を干渉検出ユニット１０１出力し、定時又はリアルタイムの測定を使用してもよく、また、物理層通常パラメータを測定し、第２測定結果をスケジューリングユニット１０３に出力し、リアルタイムの測定を使用してもよい。
【００４２】
ここで、大気ダクト検出パラメータは、予め設定された大気ダクト干渉検出モデルの識別パラメータであり、例えば、一定の時間−周波数領域のリソースにおいて測定されたノイズ及び干渉(ＮＩ：Ｎｏｉｓｅ  ａｎｄ  Ｉｎｔｅｒｆｅｒｅｎｃｅ)レベル、及び／又はランダム抽出された周波数帯においてＮＩレベル等である。
【００４３】
ここで、物理層通常パラメータは、物理上りリンク制御チャネル(ＰＵＣＣＨ：Ｐｈｙｓｉｃａｌ  Ｕｐｌｉｎｋ  Ｃｏｎｔｒｏｌ  Ｃｈａｎｎｅｌ)、サウンディング基準信号(ＳＲＳ：Ｓｏｕｎｄｉｎｇ  Ｒｅｆｅｒｅｎｃｅ  Ｓｉｇｎａｌ)、物理上りリンク共有チャネル(ＰＵＳＣＨ：Ｐｈｙｓｉｃａｌ  Ｕｐｌｉｎｋ  Ｓｈａｒｅｄ  Ｃｈａｎｎｅｌ)、又は物理ランダムアクセスチャネル(ＰＲＡＣＨ：Ｐｈｙｓｉｃａｌ  Ｒａｎｄｏｍ  Ａｃｃｅｓｓ  Ｃｈａｎｎｅｌ)のいずれの上りチャネルの収集を含むが、これらに限定しなく、測定情報は、低ノイズや干渉大きさ、受信電力等に限定しない。
【００４４】
干渉検出ユニット１０１は、測定ユニット１００からの第１測定結果処理し、予め設定された大気ダクト干渉検出モデルのパラメータ閾値に基づいて大気ダクト干渉の有無を判定し、大気ダクト干渉の有無の結果を復調ユニット１０２及びスケジューリングユニット１０３に出力する。
【００４５】
具体的に、第１測定結果に含まれる予め設定された大気ダクト干渉検出モデルの識別パラメータ情報に対し、エネルギー計算及び処理例えば測定値平滑化処理、平均処理等を行い、処理後の結果が予め設定されたパラメータ閾値を超える場合、大気ダクト干渉が存在すると判定する。さらに、判定する時に遅滞処理を行ってもよく、この場合、誤判定を低減させ、状態ピンポンを回避する。ここで、エネルギー計算及び処理、遅滞処理等の具体的な実現は、当業者の周知の技術であり、具体的な実現は、本発明の保護範囲に限定しなく、ここで説明を省略する。
【００４６】
例えば、予め設定された大気ダクト干渉検出モデルのパラメータ閾値はＮＩ閾値であり、且つ閾値が−１０４ｄｂｍであり、第１測定結果に含まれる予め設定された大気ダクト干渉検出モデルの識別パラメータ情報即ちＮＩの値は−１０４ｄｂｍより大きい場合、大気ダクト干渉が存在することを示す。
【００４７】
さらに、大気ダクト干渉の有無の結果は大気ダクト干渉が存在することであり、現在の検出が初回検出であり又は直前の検出結果は大気ダクト干渉が存在しないことである場合、検出結果を大気ダクト干渉が存在することとして設定し、大気ダクト干渉の有無の結果を復調ユニット１０２及びスケジューリングユニット１０３に継続して出力し、直前の検出結果は大気ダクト干渉が存在することである場合、大気ダクト干渉の有無の結果を復調ユニット１０２及びスケジューリングユニット１０３に出力しない。
【００４８】
大気ダクト干渉の有無の結果は大気ダクト干渉が存在しないことであり、現在の検出が初回検出であり又は直前の検出結果は大気ダクト干渉が存在しないことである場合、検出結果を大気ダクト干渉が存在しないこととして設定し、大気ダクト干渉の有無の結果を復調ユニット１０２及びスケジューリングユニット１０３に継続して出力し、直前の検出結果は大気ダクト干渉が存在することである場合、検出結果を大気ダクト干渉が存在しないこととして更新し、大気ダクト干渉の有無の結果を復調ユニット１０２及びスケジューリングユニット１０３に継続して出力する。
【００４９】
復調ユニット１０２は、取得された大気ダクト干渉の有無の結果に基づいて、対応する復調策略を確定し、上り伝送信号に対し復調を行い、復調結果をスケジューリングユニット１０３に出力するように構成される。
【００５０】
復調ユニット１０２には異なる復調策略と大気ダクト干渉の有無との対応関係を予め設定してもよく、取得された大気ダクト干渉の有無の結果は大気ダクト干渉が存在することを示す場合、大気ダクト干渉が存在することに対応する干渉防止復調策略を使用して復調し、取得された大気ダクト干渉の有無の結果は大気ダクト干渉が存在しないことを示す場合、大気ダクト干渉が存在しないことに対応する無干渉復調策略即ち既存の正常の復調策略を使用して復調する。
【００５１】
スケジューリングユニット１０３は、取得された大気ダクト干渉の有無の結果に基づいて、対応するスケジューリング策略を確定し、復調結果及び第２測定結果に基づいてスケジューリングを行うように構成される。
【００５２】
具体的に、スケジューリングユニット１０３には異なるスケジューリング策略と大気ダクト干渉の有無との対応関係が予め設定してもよく、取得された大気ダクト干渉の有無の結果は大気ダクト干渉が存在することを示す場合、大気ダクト干渉が存在することに対応する干渉防止スケジューリング策略を使用してスケジューリング処理を行い、取得された大気ダクト干渉の有無の結果は大気ダクト干渉が存在しないことを示す場合、大気ダクト干渉が存在しないことに対応する無干渉スケジューリング策略即ち既存の正常のスケジューリング策略を使用してスケジューリング処理を行う。
【００５３】
ここで、干渉防止スケジューリング策略は、高速電力制御、高速適応変調および符号化(ＡＭＣ：Ａｄａｐｔｉｖｅ  Ｍｏｄｕｌａｔｉｏｎ  ａｎｄ  Ｃｏｄｉｎｇ)、特定の場面例えばアクセスやハンドオーバ場合のインテリジェント処理の使用、異なるサービスタイプに対する適応リソース割り当てメカニズム、下り適応の伝送メカニズムの使用等を含むが、これらに限定しない。
【００５４】
さらに、本発明の基地局は、さらに、測定報告適応ユニット１０４を含む。
【００５５】
測定報告適応ユニット１０４は、干渉検出ユニット１０１から受信された大気ダクト干渉の有無の結果は大気ダクト干渉が存在することを示す場合、測定ユニット１００からの第２測定結果に対し適応処理を行ってからスケジューリングユニット１０３に出力し、干渉検出ユニット１０１から受信された大気ダクト干渉の有無の結果は大気ダクト干渉が存在しないことを示す場合、測定ユニット１００からの第２測定結果をスケジューリングユニット１０３にトランスペアレント伝送するように構成される。
【００５６】
さらに、本発明の基地局は、さらに、構成パラメータ適応ユニット１０６を含む。
【００５７】
構成パラメータ適応ユニット１０６は、干渉検出ユニット１０１から受信された大気ダクト干渉の有無の結果は大気ダクト干渉が存在することを示す場合、大気ダクト干渉が存在することに対応する干渉防止構成パラメータセットをスケジューリングユニット１０３に出力し、干渉検出ユニット１０１から受信された大気ダクト干渉の有無の結果は大気ダクト干渉が存在しないことを示す場合、大気ダクト干渉が存在しないことに対応する無干渉構成パラメータセットをスケジューリングユニット１０３に出力するように構成される。
【００５８】
構成パラメータ適応ユニット１０６は、干渉状況に応じて、スケジューリングユニット１０３が使用する構成パラメータへの適応構成を実現し、大気ダクト干渉に対応する処理をよく行うことができる。
【００５９】
さらに、本発明の基地局は、さらに、干渉レベル確定ユニット１０５を含む。
【００６０】
干渉レベル確定ユニット１０５は、測定ユニット１００からの第１測定結果及び干渉検出ユニット１０１からの大気ダクト干渉の有無の結果を受信し、予め設定された異なる第１測定結果と各大気ダクト干渉レベルとの対応関係に基づいて、大気ダクト干渉の干渉レベルを確定し、干渉レベルを復調ユニット１０２に出力するように構成される。具体的に、大気ダクト干渉の有無の結果は大気ダクト干渉が存在しないことを示す場合、干渉レベルを無干渉例えば干渉レベル０として確定し、大気ダクト干渉の有無の結果は大気ダクト干渉が存在することである場合、軽度の干渉例えば干渉レベル１として、中度の干渉例えば干渉レベル２として、又は重度の干渉例えば干渉レベル３等として確定することができる。
【００６１】
ここで、異なる干渉レベル即ち干渉程度は、干渉の大きさ、異なる符号への干渉程度、又は復調参照信号への干渉程度によって識別して得る。
【００６２】
本発明の基地局は、干渉レベル確定ユニット１０５を含む場合、
復調ユニット１０３は、具体的に、
復調ユニット１０３には異なる復調策略と異なる干渉レベルとの対応関係を予め設定してもよく、干渉レベル確定ユニット１０５からの干渉レベルに基づいて、対応する干渉防止復調策略を確定する。この時、大気ダクト干渉が存在する場合、異なる干渉レベルに対する大気ダクト干渉の異なる復調処理を細分化して、大気ダクト干渉をよく回避することができる。
【００６３】
例えば、干渉レベル０が正常の復調策略に対応し、例えばチャネル推定は、補間法、及び／又は最大比率の組み合わせ(ＭＲＣ：Ｍａｘｉｍｕｍ  Ｒａｔｉｏ  Ｃｏｍｂｉｎｉｎｇ)及び干渉除去結合(ＩＲＣ：Ｉｎｔｅｒｆｅｒｅｎｃｅ  Ｒｅｊｅｃｔｉｏｎ  Ｃｏｍｂｉｎｉｎｇ)適応技術を使用するが、これに限定しない。
【００６４】
干渉レベル１が低干渉の復調策略に対応し、例えば、チャネル推定は、補間法、及び／又はＩＲＣ技術を使用するが、これに限定しない。
【００６５】
干渉レベル２が中干渉の復調策略に対応し、例えばチャネル推定は、補間法、及び／又はＩＲＣ技術を使用するが、これに限定しない。
【００６６】
干渉レベル３が高干渉の復調策略に対応し、例えば、チャネル推定は、平推法、及び／又はＩＲＣ技術、及び／又はＮＩレベルによって異なる符号の信号の加重処理を使用するが、これに限定しない。
【００６７】
本発明に係る基地局は、干渉レベル確定ユニット１０５及び構成パラメータ適応ユニット１０６を含む場合、この時、
干渉レベル確定ユニット１０５は、さらに、干渉レベルを構成パラメータ適応ユニット１０６に出力するように構成される。
【００６８】
構成パラメータ適応ユニット１０６は、具体的に、受信された干渉レベルに基づいて、予め設定された異なる干渉レベルに対応する異なる構成パラメータセットをスケジューリングユニット１０３に出力するように構成される。
【００６９】
例えば、異なる干渉レベルにおいて、以下のパラメータの１つ又は全部は以下の値で構成するが、これに限定しない。
【００７０】
干渉レベルが干渉レベル０である場合、構成パラメータセットは、ＰＵＳＣＨ名目電力が−８７ｄＢｍに配置され、ＰＵＳＣＨ道路損失補償係数が０.８に配置され、ＰＵＣＣＨ名目電力が−１０５ｄＢｍに配置され、ＰＲＡＣＨ目標受信電力が−１００ｄＢｍに配置される。
【００７１】
干渉レベルが干渉レベル１である場合、構成パラメータセットは、ＰＵＳＣＨ名目電力が−７５ｄＢｍに配置され、ＰＵＳＣＨ道路損失補償係数が０.８に配置され、ＰＵＣＣＨ名目電力が−１０５ｄＢｍに配置され、ＰＲＡＣＨ目標受信電力が−１００ｄＢｍに配置される。
【００７２】
干渉レベルが干渉レベル２である場合、構成パラメータセットは、ＰＵＳＣＨ名目電力が−７５ｄＢｍに配置され、ＰＵＳＣＨ道路損失補償係数が０.８に配置され、ＰＵＣＣＨ名目電力が−１００ｄＢｍに配置され、ＰＲＡＣＨ目標受信電力が−９６ｄＢｍに配置される。
【００７３】
干渉レベルが干渉レベル３である場合、構成パラメータセットは、ＰＵＳＣＨ名目電力が−７５ｄＢｍに配置され、ＰＵＳＣＨ道路損失補償係数が１に配置され、ＰＵＣＣＨ名目電力が−９０ｄＢｍに配置され、ＰＲＡＣＨ目標受信電力が−９０ｄＢｍに配置され、ＬＴＥアクセス又はハンドオーバ過程の３番目のメッセージ(Ｍｓｇ３)とＰＲＡＣＨとの電力差ｄｅｌｔａＰｒｅａｍｂｌｅＭｓｇ３が４に配置される。
【００７４】
本発明に係る実施例は、大気ダクト干渉が存在する場合、対応する復調策略及びスケジューリング策略を使用し、大気ダクト干渉による基地局への影響を有効に対処し、従来の技術で大気ダクト等の高干渉において、基地局、特にＴＤＤ−ＬＴＥにおける基地局上りシステム性能の低下、無線接続率、コールドロップ率、ハンドオーバ成功率の悪化、及びユーザー体験が悪くなるという問題をよく解決することができる。さらに、構成パラメータ適応ユニット１０６は、干渉状況に応じて、スケジューリングユニット１０３の使用する構成パラメータへの適応構成を実現し、大気ダクト干渉に対応する処理をよく行うことができる。さらに、大気ダクト干渉をレベルで分け、異なる干渉レベルに対する大気ダクト干渉の異なる復調処理をよく細分化して、大気ダクト干渉をよく回避することができる。
【００７５】
以下、異なる応用場面によって、スケジューリングユニット１０３の処理を詳しく説明する。
【００７６】
基地局がＰＵＣＣＨクローズドループ電力制御方式にある時、大気ダクト干渉が存在する場合、スケジューリングユニット１０３のスケジューリング策略は、ＰＵＣＣＨクローズドループ電力制御の高速処理を起動することであり、具体的に、高干渉を克服するための速く上昇及び遅く下降すること又は目標受信電力を上げることを含む。
【００７７】
ここで、高干渉を克服するための速く上昇及び遅く下降することは、ＰＵＣＣＨクローズドループ電力制御の高速処理後、測定報告適応ユニット１０４からのパラメータ値を予め設定されたＰＵＣＣＨクローズドループ電力制御のＮＩ閾値と比較し、適応処理後のＮＩレベルが当該ＮＩ閾値よりも高い場合、ＰＵＣＣＨクローズドループ電力制御を制御して高速電力上昇を行い、当該ＮＩ閾値の以下である場合、正常の速度でＰＵＣＣＨクローズドループ電力制御を行うことを含む。
【００７８】
目標受信電力を上げることは、測定報告適応ユニット１０４からのパラメータ値を予め設定されたＰＵＣＣＨクローズドループ電力制御のＮＩ閾値と比較し、適応処理後のＮＩレベルが当該ＮＩ閾値よりも高い場合、スケジューリングしてＰＵＣＣＨクローズドループ電力制御の目標値を上げ、そうでない場合、ＰＵＣＣＨクローズドループ電力制御の目標値が変更しないことを含む。ここで、測定されたＮＩレベルからＮＩ閾値を減算して、上げた幅を得た。目標値を上げた後、電力制御は、新たな目標値において電力調整命令でＵＥ側の電力を調整する。
【００７９】
基地局がサービスタイプに応じて異なるリソース割り当てメカニズムを選定する処理の場合
大気ダクト干渉が存在する場合、スケジューリングユニット１０３のスケジューリング策略は、サービスタイプに応じて処理をそれぞれ行うことであり、具体的に、離散サービスに対し、ＡＭＣのジッタを回避するために、電力限定範囲においてリソース割り当てを行い、連続のサービスに対し、電力限定範囲に限定しなく、範囲外でも使用する。
【００８０】
基地局がＰＵＳＣＨクローズドループ電力制御処理方式にある時
大気ダクト干渉が存在する場合、スケジューリングユニット１０３のスケジューリング策略は、ＰＵＳＣＨクローズドループ電力制御の高速処理を起動することであり、例えば、ハイブリッド自動再送要求(ＨＡＲＱ：Ｈｙｂｒｉｄ  Ａｕｔｏｍａｔｉｃ  Ｒｅｐｅａｔ−ＲｅＱｕｅｓｔ)Ｆａｉｌの高速電力上昇策略について、ＰＵＳＣＨクローズドループ電力制御の高速処理のステップサイズが大きくなり、又は、ＨＡＲＱが失敗の場合に電力をすぐに調整し、又は干渉上昇が発見された場合にリソース割り当てを補正して電力制御コマンドワードをタイムリーに有効にすることを保証することを含むが、これらに限定しない。
【００８１】
このようにスケジューリングした後、大気ダクト干渉が存在しないことを示す場合、それに対応し、スケジューリングユニット１０３のスケジューリング策略は、ＰＵＳＣＨクローズドループ電力制御の高速処理のステップサイズが小さくなり、又は、ＨＡＲＱが失敗の場合に電力をすぐに調整しなく、又は電力制御コマンドワードの送信がリソース割り当てに影響しないことを含むが、これらに限定しない。
【００８２】
基地局が上り適応変調および符号化(ＡＭＣ：Ａｄａｐｔｉｖｅ  Ｍｏｄｕｌａｔｉｏｎ  ａｎｄ  Ｃｏｄｉｎｇ)処理方式にある時
大気ダクト干渉が存在する場合、スケジューリングユニット１０３のスケジューリング策略は、適応の上りＡＭＣ処理を起動することであり、外部リングＡＭＣ調整情報を主に依頼し、内部リングＡＭＣが次であり、又はＡＭＣ策略を固定し、又はＡＭＣのチャネルトラッキング速度を向上させることを含むが、これらに限定しない。
【００８３】
このようにスケジューリングした後、大気ダクト干渉が存在しないことを示す場合、これに対応し、スケジューリングユニット１０３のスケジューリング策略は、正常状態の通常処理を回復することである。
【００８４】
基地局がアクセスにある時
大気ダクト干渉が存在する場合、スケジューリングユニット１０３のスケジューリング策略は、適応のアクセス処理案を起動することである。ＵＥアクセス時にインテリジェント処理を行い、接続率をよく保証する。
アクセス段階で、干渉が上昇する場合に電力を迅速に上げ、電力が限定された場合にＭＣＳレベルの低下を含む各種の手段を使用して接続率を保証し、及び／又は、アクセス段階で、干渉が上昇する場合に干渉レベルに基づいて対応する構成パラメータセットを選択し、当該干渉レベルにおいて最大の接続ゲインを得ることを含む。
【００８５】
このようにスケジューリングした後、大気ダクト干渉が存在しないことを示す場合、これに対応し、スケジューリングユニット１０３のスケジューリング策略は、正常状態の通常処理を回復することである。
【００８６】
基地局がハンドオーバにある時
大気ダクト干渉が存在する場合、スケジューリングユニット１０３のスケジューリング策略は、適応のハンドオーバ処理案を起動し、ハンドオーバ時のＵＥに対しインテリジェント処理を行って、ハンドオーバ成功率を保証する。ハンドオーバ段階で、干渉が上昇する場合に電力を迅速に上げ、電力が限定された場合にＭＣＳレベルの低下を含む各種の手段を使用してハンドオーバ率を保証し、及び／又は、ハンドオーバ段階で、干渉が上昇する場合、干渉レベルに基づいて対応する構成パラメータセットを選択し、当該干渉レベルにおいて最大のハンドオーバ成功率のゲインを得ることを含む。
【００８７】
このようにスケジューリングした後、大気ダクト干渉が存在しないことを示す場合、これに対応し、スケジューリングユニット１０３のスケジューリング策略は、正常状態の通常処理を回復することである。
【００８８】
基地局が伝送方式にある時
このようにスケジューリングした後、大気ダクト干渉が存在しないことを示す場合、これに対応し、スケジューリングユニット１０３のスケジューリング策略は、適応の伝送案を起動し、伝送技術を柔軟に使用することであり、例えば、ＴＭ８を使用して伝送する場合、ＴＭ８の重み値推定は上り測定によって決まり、大気ダクト干渉において、上り測定が正確でなく、この時、ＴＭ８に性能ゲインがなく、上り測定との関連性が強くないＴＭ３技術を使用することができる。
【００８９】
このようにスケジューリングした後、大気ダクト干渉が存在しないことを示す場合、これに対応し、スケジューリングユニット１０３のスケジューリング策略は、正常状態の通常処理を回復することである。
【００９０】
なお、基地局がＯＭＣ構成過程において、バックグラウンドが測定ユニット１００で構成し、例えば、大気ダクト干渉モードのスイッチを起動することができる。大気ダクト干渉モードを起動する場合、大気ダクト干渉モードにおいて、構成する必要があるパラメータは、例えば、すべての必要な測定パラメータであり、この中には大気ダクト干渉専用検出パラメータが含まれる。測定ユニット１００は、送信された内容によって測定及び報告を行い、干渉検出ユニット１０１、干渉レベル確定ユニット１０５が使用するすべての判定用干渉閾値又は干渉レベル閾値等であり、及び、すべての予め設定された干渉レベルに対応するスケジューリングユニット１０３の構成パラメータセット等、例えばＰＵＣＣＨ高速電力制御が使用するＮＩ閾値等である。
【００９１】
図２は本発明に係る基地局の信号処理を行う方法のフローチャートであり、図２に示すように、ステップ２００〜ステップ２０３を含む。
【００９２】
ステップ２００において、大気ダクト検出パラメータと物理層通常パラメータを測定する。
【００９３】
ここで、大気ダクト検出パラメータの測定は、定時又はリアルタイムの測定を使用してもよく、物理層通常パラメータの測定は、リアルタイムの測定を使用してもよい
ここで、大気ダクト検出パラメータは、予め設定された大気ダクト干渉検出モデルの識別パラメータであり、例えば、一定の時間−周波数領域のリソースにおいて測定されたノイズ及び干渉(ＮＩ：Ｎｏｉｓｅ  ａｎｄ  Ｉｎｔｅｒｆｅｒｅｎｃｅ)レベル、及び／又はランダム抽出された周波数帯においてＮＩレベル等である。
【００９４】
ここで、物理層通常パラメータは、物理上りリンク制御チャネル(ＰＵＣＣＨ：Ｐｈｙｓｉｃａｌ  Ｕｐｌｉｎｋ  Ｃｏｎｔｒｏｌ  Ｃｈａｎｎｅｌ)、サウンディング基準信号(ＳＲＳ：Ｓｏｕｎｄｉｎｇ  Ｒｅｆｅｒｅｎｃｅ  Ｓｉｇｎａｌ)、物理上りリンク共有チャネル(ＰＵＳＣＨ：Ｐｈｙｓｉｃａｌ  Ｕｐｌｉｎｋ  Ｓｈａｒｅｄ  Ｃｈａｎｎｅｌ)、又は物理ランダムアクセスチャネル(ＰＲＡＣＨ：Ｐｈｙｓｉｃａｌ  Ｒａｎｄｏｍ  Ａｃｃｅｓｓ  Ｃｈａｎｎｅｌ)のいずれの上りチャネルの収集を含むが、これらに限定しなく、測定情報は、低ノイズ、干渉大きさ、受信電力等に限定しない。
【００９５】
ステップ２０１において、取得された大気ダクト検出パラメータを処理し、予め設定された大気ダクト干渉検出モデルのパラメータ閾値に基づいて大気ダクト干渉の有無を判定する。
【００９６】
本ステップにおいて、取得された大気ダクト検出パラメータに対し処理を行うことは、エネルギー計算及び処理例えば測定値平滑化処理、平均処理等を含むが、これらに限定しない。さらに、判定する時に遅滞処理を行ってもよく、この場合、誤判定を低減させ、状態ピンポンを回避する。ここで、エネルギー計算及び処理、遅滞処理等の具体的な実現は、当業者の周知の技術であり、具体的な実現は、本発明の保護範囲に限定しなく、ここで説明を省略する。
【００９７】
ここで、処理後の結果が予め設定されたパラメータ閾値を超える場合、大気ダクト干渉が存在すると判定する。例えば、予め設定された大気ダクト干渉検出モデルのパラメータ閾値はＮＩ閾値ノイズ及び干渉(ＮＩ：Ｎｏｉｓｅ  ａｎｄ  Ｉｎｔｅｒｆｅｒｅｎｃｅ)閾値、且つその閾値が−１０４ｄｂｍであり、第１測定結果に含まれる予め設定された大気ダクト干渉検出モデルの識別パラメータ情報即ちＮＩの値は−１０４ｄｂｍより大きい場合、大気ダクト干渉が存在することを示す。
【００９８】
さらに、本ステップにおいて、大気ダクト干渉が存在すると判定する場合、現在の検出が初回検出であり又は直前の検出結果は大気ダクト干渉が存在しないことである場合、検出結果を大気ダクト干渉が存在することとして設定し、直前の検出結果は大気ダクト干渉が存在することである場合、今回のプロセスを終了し、次の検出を待つ。
【００９９】
本ステップにおいて、大気ダクト干渉が存在しないと判定し、現在の検出が初回検出であり又は直前の検出結果は大気ダクト干渉が存在しないことである場合、検出結果を大気ダクト干渉が存在しないこととして設定し、直前の検出結果は大気ダクト干渉が存在することである場合、検出結果を大気ダクト干渉が存在しないこととして更新する。
【０１００】
ステップ２０２において、取得された大気ダクト干渉の有無の結果に基づいて、対応する復調策略を確定し、上り伝送信号を復調する。
【０１０１】
本ステップの前に、異なる復調策略と大気ダクト干渉の有無との対応関係を予め設定することを含む。
【０１０２】
本ステップは、具体的に、取得された大気ダクト干渉の有無の結果は大気ダクト干渉が存在することを示す場合、大気ダクト干渉が存在することに対応する干渉防止復調策略に基づいて復調し、取得された大気ダクト干渉の有無の結果は大気ダクト干渉が存在しないことを示す場合、大気ダクト干渉が存在しないことに対応する無干渉復調策略即ち既存の正常の復調策略に基づいて復調することを含む。
【０１０３】
ステップ２０３において、取得された大気ダクト干渉の有無の結果に基づいて対応するスケジューリング策略を確定し、復調結果及び物理層通常パラメータの測定の結果に基づいてスケジューリングを行う。
【０１０４】
本ステップの前に、異なるスケジューリング策略と大気ダクト干渉の有無との対応関係を予め設定することをさらに含む。
【０１０５】
本ステップは、具体的に、取得された大気ダクト干渉の有無の結果は大気ダクト干渉が存在することを示す場合、大気ダクト干渉が存在することに対応する干渉防止スケジューリング策略を使用してスケジューリング処理を行い、取得された大気ダクト干渉の有無の結果は大気ダクト干渉が存在しないことを示す場合、大気ダクト干渉が存在しないことに対応する無干渉スケジューリング策略即ち既存の正常のスケジューリング策略を使用してスケジューリング処理を行うことを含む。
【０１０６】
ここで、干渉防止スケジューリング策略は、高速電力制御、高速適応変調および符号化(ＡＭＣ：Ａｄａｐｔｉｖｅ  Ｍｏｄｕｌａｔｉｏｎ  ａｎｄ  Ｃｏｄｉｎｇ)、特定の場面例えばアクセス、ハンドオーバの場合にインテリジェント処理の使用、異なるサービスタイプに対する適応リソース割り当てメカニズム、下り適応の伝送メカニズムの使用等を含むが、これらに限定しない。
【０１０７】
さらに、ステップ２０３の前に、
大気ダクト干渉の有無の結果は大気ダクト干渉が存在することを示す場合、取得され物理層通常パラメータに対し適応処理を行うことをさらに含む。
【０１０８】
さらに、ステップ２０１の後、ステップ２０３の前に、大気ダクト干渉の有無の結果は大気ダクト干渉が存在することを示す場合、大気ダクト干渉が存在することに対応する干渉防止構成パラメータセットを取得し、大気ダクト干渉の有無の結果は大気ダクト干渉が存在しないことを示す場合、大気ダクト干渉が存在しないことに対応する無干渉構成パラメータセットを取得することをさらに含む。
【０１０９】
ステップ２０３は、具体的に、取得された大気ダクト干渉の有無の結果に基づいて、対応するスケジューリング策略を確定し、復調結果に基づいて取得された干渉防止構成パラメータセット又は無干渉構成パラメータセットに対しスケジューリングを行うことを含む。このように、構成パラメータ適応ユニットは、干渉状況に応じて、スケジューリングユニットが使用する構成パラメータへの適応構成を実現し、大気ダクト干渉に対応する処理をよく行うことができる。
【０１１０】
さらに、ステップ２０１の後、ステップ２０３の前に、当該方法は、さらに、
大気ダクト検出パラメータ及び大気ダクト干渉の有無の結果、予め設定された異なる大気ダクト検出パラメータと各大気ダクト干渉レベルとの対応関係に基づいて、大気ダクト干渉の干渉レベルを確定することを含み、このように、大気ダクト干渉が存在しない場合、干渉レベルを無干渉例えば干渉レベル０として確定し、大気ダクト干渉の有無の結果は大気ダクト干渉が存在することである場合、軽度の干渉例えば干渉レベル１として、中度の干渉例えば干渉レベル２として、又は重度の干渉例えば干渉レベル３等として確定することができる。ここで、異なる干渉レベル即ち干渉程度は、干渉の大きさ、異なる符号への干渉程度、又は復調参照信号への干渉程度によって識別して得る。
【０１１１】
それに対応し、ステップ２０２は、具体的に、異なる復調策略と異なる干渉レベルとの対応関係を予め設定し、取得され干渉レベルに基づいて、対応する干渉防止復調策略を確定し復調を行うことを含む。この時、大気ダクト干渉が存在する場合、異なる干渉レベルに対する大気ダクト干渉の異なる復調処理を細分化して、大気ダクト干渉をよく回避することができる。
【０１１２】
例えば、干渉レベル０が正常の復調策略に対応し、例えばチャネル推定は、補間法、及び／又は最大比率の組み合わせ(ＭＲＣ：Ｍａｘｉｍｕｍ  Ｒａｔｉｏ  Ｃｏｍｂｉｎｉｎｇ)及び干渉除去結合(ＩＲＣ：Ｉｎｔｅｒｆｅｒｅｎｃｅ  Ｒｅｊｅｃｔｉｏｎ  Ｃｏｍｂｉｎｉｎｇ)適応技術を使用するが、これに限定しない。
【０１１３】
干渉レベル１が低干渉の復調策略に対応し、例えば、チャネル推定は、補間法、及び／又はＩＲＣ技術を使用するが、これに限定しない。
【０１１４】
干渉レベル２が中干渉の復調策略に対応し、例えばチャネル推定は、補間法、及び／又はＩＲＣ技術を使用するが、これに限定しない。
【０１１５】
干渉レベル３が高干渉の復調策略に対応し、例えば、チャネル推定は、平推法、及び／又はＩＲＣ技術、及び／又はＮＩレベルによって異なる符号の信号の加重処理を使用するが、これに限定しない。
【０１１６】
本発明に係る方法は、干渉防止構成パラメータセット又は無干渉構成パラメータセットを取得するステップを含む場合、干渉防止構成パラメータセット又は無干渉構成パラメータセットを取得する場合、取得された干渉レベルに基づいて、予め設定された異なる干渉レベルに対応する異なる構成パラメータセット取得することを含む。例えば、異なる干渉レベルにおいて、以下のパラメータの１つ又は全部は以下の値で構成するが、これに限定しない
干渉レベルが干渉レベル０である場合、構成パラメータセットは、ＰＵＳＣＨ名目電力が−８７ｄＢｍに配置され、ＰＵＳＣＨ道路損失補償係数が０.８に配置され、ＰＵＣＣＨ名目電力が−１０５ｄＢｍに配置され、ＰＲＡＣＨ目標受信電力が−１００ｄＢｍに配置される。
【０１１７】
干渉レベルが干渉レベル１である場合、構成パラメータセットは、ＰＵＳＣＨ名目電力が−７５ｄＢｍに配置され、ＰＵＳＣＨ道路損失補償係数が０.８に配置され、ＰＵＣＣＨ名目電力が−１０５ｄＢｍに配置され、ＰＲＡＣＨ目標受信電力が−１００ｄＢｍに配置される。
【０１１８】
干渉レベルが干渉レベル２である場合、構成パラメータセットは、ＰＵＳＣＨ名目電力が−７５ｄＢｍに配置され、ＰＵＳＣＨ道路損失補償係数が０.８に配置され、ＰＵＣＣＨ名目電力が−１００ｄＢｍに配置され、ＰＲＡＣＨ目標受信電力が−９６ｄＢｍに配置される。
【０１１９】
干渉レベルが干渉レベル３である場合、構成パラメータセットは、ＰＵＳＣＨ名目電力が−７５ｄＢｍに配置され、ＰＵＳＣＨ道路損失補償係数が１に配置され、ＰＵＣＣＨ名目電力が−９０ｄＢｍに配置され、ＰＲＡＣＨ目標受信電力が−９０ｄＢｍに配置され、ＬＴＥアクセス又はハンドオーバ過程の３番目のメッセージ(Ｍｓｇ３)とＰＲＡＣＨとの電力差ｄｅｌｔａＰｒｅａｍｂｌｅＭｓｇ３が４に配置される。
【０１２０】
基地局が異なる応用場面にある時、本発明のステップ２０３のスケジューリング策略は以下の通りである。
【０１２１】
基地局がＰＵＣＣＨクローズドループ電力制御方式にある時
大気ダクト干渉が存在する場合、スケジューリング策略は、ＰＵＣＣＨクローズドループ電力制御の高速処理を起動することであり、具体的に、高干渉を克服するための速く上昇及び遅く下降すること又は目標受信電力を上げることを含む。
【０１２２】
ここで、高干渉を克服するための速く上昇及び遅く下降することは、ＰＵＣＣＨクローズドループ電力制御の高速処理後、測定報告適応ユニット１０４からのパラメータ値を予め設定されたＰＵＣＣＨクローズドループ電力制御のＮＩ閾値と比較し、適応処理後のＮＩレベルが当該ＮＩ閾値よりも高い場合、ＰＵＣＣＨクローズドループ電力制御を制御して高速電力上昇を行い、当該ＮＩ閾値の以下である場合、正常の速度でＰＵＣＣＨクローズドループ電力制御を行うことを含む。
【０１２３】
目標受信電力を上げることは、測定報告適応ユニットからのパラメータ値を予め設定されたＰＵＣＣＨクローズドループ電力制御のＮＩ閾値と比較し、適応処理後のＮＩレベルが当該ＮＩ閾値よりも高い場合、スケジューリングしてＰＵＣＣＨクローズドループ電力制御の目標値を上げ、そうでない場合、ＰＵＣＣＨクローズドループ電力制御の目標値が変更しないことを含む。ここで、測定されたＮＩレベルからＮＩ閾値を減算して、上げた幅を得た。目標値を上げた後、電力制御は、新たな目標値において電力調整命令でＵＥ側の電力を調整する
基地局がサービスタイプに応じて異なるリソース割り当てメカニズムを選定する処理の場合
大気ダクト干渉が存在する場合、スケジューリング策略は、サービスタイプに応じて処理をそれぞれ行うことであり、具体的に、離散サービスに対し、ＡＭＣのジッタを回避するために、電力限定範囲においてリソース割り当てを行い、連続のサービスに対し、電力限定範囲に限定しなく、範囲外でも使用する。
【０１２４】
大気ダクト干渉が存在する場合、スケジューリング策略は、ＰＵＳＣＨクローズドループ電力制御の高速処理を起動することであり、例えば、ハイブリッド自動再送要求(ＨＡＲＱ：Ｈｙｂｒｉｄ  Ａｕｔｏｍａｔｉｃ  Ｒｅｐｅａｔ−ＲｅＱｕｅｓｔ)Ｆａｉｌの高速電力上昇策略について、ＰＵＳＣＨクローズドループ電力制御の高速処理のステップサイズが大きくなり、又は、ＨＡＲＱが失敗の場合に電力をすぐに調整し、又は干渉上昇が発見された場合にリソース割り当てを補正して電力制御コマンドワードをタイムリーに有効にすることを保証することを含むが、これらに限定しない。
【０１２５】
このようにスケジューリングした後、大気ダクト干渉が存在しないことを示す場合、それに対応し、スケジューリング策略は、ＰＵＳＣＨクローズドループ電力制御の高速処理のステップサイズが小さくなり、又は、ＨＡＲＱが失敗の場合に電力をすぐに調整しなく、又は電力制御コマンドワードの送信がリソース割り当てに影響しないことを含むが、これらに限定しない。
【０１２６】
基地局が上り適応変調および符号化(ＡＭＣ：Ａｄａｐｔｉｖｅ  Ｍｏｄｕｌａｔｉｏｎ  ａｎｄ  Ｃｏｄｉｎｇ)処理方式にある時
大気ダクト干渉が存在する場合、スケジューリングユニット１０３のスケジューリング策略は、適応の上りＡＭＣ処理を起動することであり、外部リングＡＭＣ調整情報を主に依頼し、内部リングＡＭＣが次であり、又はＡＭＣ策略を固定し、又はＡＭＣのチャネルトラッキング速度を向上させることを含むが、これらに限定しない。
【０１２７】
このようにスケジューリングした後、大気ダクト干渉が存在しないことを示す場合、これに対応し、スケジューリング策略は、正常状態の通常処理を回復することである
基地局がアクセスにある時
大気ダクト干渉が存在する場合、スケジューリング策略は、適応のアクセス処理案を起動することである。ＵＥアクセス時にインテリジェント処理を行い、接続率をよく保証する。アクセス段階で、干渉が上昇する場合に電力を迅速に上げ、電力が限定された場合にＭＣＳの低下を含む各種の手段を使用して接続率を保証し、及び／又は、アクセス段階で、干渉が上昇する場合に干渉レベルに基づいて対応する構成パラメータセットを選択し、当該干渉レベルにおいて最大の接続ゲインを得ることを含む
このようにスケジューリングした後、大気ダクト干渉が存在しないことを示す場合、これに対応し、スケジューリング策略は、正常状態の通常処理を回復することである。
【０１２８】
基地局がハンドオーバにある時
大気ダクト干渉が存在する場合、スケジューリング策略は、適応のハンドオーバ処理案を起動し、ハンドオーバ時のＵＥに対しインテリジェント処理を行って、ハンドオーバ成功率を保証する。ハンドオーバ段階で、干渉が上昇する場合に電力を迅速に上げ、電力が限定された場合にＭＣＳレベルの低下を含む各種の手段を使用してハンドオーバ率を保証し、及び／又は、ハンドオーバ段階で、干渉が上昇する場合に干渉レベルに基づいて対応する構成パラメータセットを選択し、当該干渉レベルにおいて最大のハンドオーバ成功率のゲインを得ることを含む
このようにスケジューリングした後、大気ダクト干渉が存在しないことを示す場合、これに対応し、スケジューリング策略は、正常状態の通常処理を回復することである。
【０１２９】
基地局が伝送方式にある時
このようにスケジューリングした後、大気ダクト干渉が存在しないことを示す場合、これに対応し、スケジューリング策略は、適応の伝送案を起動し、伝送技術を柔軟に使用することであり、例えば、ＴＭ８を使用して伝送する場合、ＴＭ８の重み値推定は上り測定によって決まり、大気ダクト干渉において、上り測定が正確でなく、この時、ＴＭ８に性能ゲインがなく、上り測定との関連性が強くないＴＭ３技術を使用する。
【０１３０】
このようにスケジューリングした後、大気ダクト干渉が存在しないことを示す場合、これに対応し、スケジューリング策略は、正常状態の通常処理を回復することである。
【０１３１】
なお、基地局がＯＭＣ構成過程において、バックグラウンドが測定ユニットで構成し、例えば、大気ダクト干渉モードのスイッチを起動することができる。大気ダクト干渉モードを起動する場合、大気ダクト干渉モードにおいて、構成する必要があるパラメータは、例えば、すべての必要な測定パラメータであり、この中には大気ダクト干渉専用検出パラメータが含まれる。測定ユニットは、送信された内容によって測定及び報告を行い、干渉検出ユニット、干渉レベル確定ユニットが使用するすべての判定用干渉閾値又は干渉レベル閾値等であり、及び、すべての予め設定された干渉レベルに対応するスケジューリングユニットの構成パラメータセット等、例えばＰＵＣＣＨ高速電力制御が使用するＮＩ閾値等のである。
【０１３２】
図３は本発明に係る基地局の信号処理を行う実施例のフローチャートであり、図３に示すように、ステップ３００〜３０８を含む、
ステップ３００において、測定ユニットは、バックグラウンド構成に基づいて特定パラメータに対し測定を行い、測定データを報告する。ここで、測定すべきパラメータは、大気ダクト検出パラメータ及び物理層通常パラメータを含む。
【０１３３】
ステップ３０１〜ステップ３０２において、干渉検出ユニットは、測定され報告されたデータ及び予め設定された大気ダクト干渉検出モデルのパラメータ閾値に基づいて、大気ダクト干渉の有無を識別し、大気ダクト干渉が存在しない場合、ステップ３０３に進行し、大気ダクト干渉が存在する場合、ステップ３０４及びステップ３０５に進行する。
【０１３４】
ステップ３０３において、基地局は大気ダクト干渉が存在しない状況に応じて正常処理が進行し、このプロセスを終了する。
【０１３５】
ステップ３０４〜ステップ３０５において、大気ダクト干渉が存在する場合、予め設定された異なる大気ダクト検出パラメータと各大気ダクト干渉レベルとの対応関係に基づいて、現在に存在する大気ダクト干渉の干渉レベルを確定する。
【０１３６】
ステップ３０６において、干渉レベルに応じて、対応する復調策略を適応に選定し復調を行い、ステップ３０８に進行する。
【０１３７】
ステップ３０７において、大気ダクト干渉が存在する場合、取得された物理層通常パラメータに対し適応処理を行う。なお、本ステップとステップ３０４とは、前後の順番関係を付けない。ステップ３０８の前に処理を終了すればよい。
【０１３８】
ステップ３０８において、干渉レベルに応じて、対応する構成パラメータセットを適応に使用し、適応処理後の結果に対しスケジューリングを行う。
【０１３９】
本願に係る実施例は、大気ダクト干渉が存在する場合、対応する復調策略及びスケジューリング策略を採用し、大気ダクト干渉による基地局への影響を有効に対処し、従来の技術に大気ダクト等の高干渉において、基地局、特にＴＤＤ−ＬＴＥにおける基地局上りシステム性能の低下、無線接続率、コールドロップ率、ハンドオーバ成功率の悪化、及びユーザー体験が悪くなるという問題をよく解決することができる。さらに、構成パラメータ適応ユニットは、干渉状況に応じて、スケジューリングユニットが使用する構成パラメータへの適応構成を実現し、大気ダクト干渉に対応する処理をよく行うことができる。さらに、大気ダクト干渉をレベルで分け、異なる干渉レベルに対する大気ダクト干渉の異なる復調処理をよく細分化して、大気ダクト干渉をよく回避することができる。
【０１４０】
以上は、本発明の好ましい実施例のみであり、本発明の保護範囲を限定したものではない。本発明の精神及び原則において行った任意の修正、同等の切替、改良等も本発明の保護範囲内に該当する。
【０１４１】
産業上の利用可能性
本発明実施例は、基地局、信号処理を行う方法及びコンピュータ記憶媒体を提供し、大気ダクト検出パラメータと物理層通常パラメータを測定し、取得された大気ダクト検出パラメータを処理し、予め設定された大気ダクト干渉検出モデルのパラメータ閾値に基づいて大気ダクト干渉の有無を判定し、取得された大気ダクト干渉の有無の結果に基づいて、対応する復調策略を確定し、取得された物理層通常パラメータに対し上り伝送信号を復調し、取得された大気ダクト干渉の有無の結果に基づいて、対応するスケジューリング策略を確定し、復調結果及び物理層通常パラメータの測定の結果に基づいてスケジューリングを行う。本発明に係る技術案は、大気ダクト干渉による基地局への影響を有効に対処し、従来の技術に大気ダクト等の高干渉において、基地局、特にＴＤＤ−ＬＴＥにおける基地局上りシステム性能の低下、無線接続率、コールドロップ率、ハンドオーバ成功率の悪化、及びユーザー体験が悪くなるという問題をよく解決することができる。
【図１】
2019506106.tif 000003
【図２】
2019506106.tif 000004
【図３】
2019506106.tif 000005
【国際調査報告】
2019506106.tif 000006
2019506106.tif 000007
2019506106.tif 000008
2019506106.tif 000009